(57)【特許請求の範囲】
【請求項１】
ユーザの手が挿入可能な開口部と、
上記開口部を有する器体の内部に形成される光照射室と、
上記光照射室内に挿入されたユーザの爪に塗布された樹脂を硬化する第１紫外光を照射する第１光源と、
ビタミンＤの生成を促進する第２紫外光を上記ユーザの手に照射する第２光源と、を備えていることを特徴とする樹脂硬化装置。
【請求項２】
上記第２光源は、上記ユーザの手のひらに照射することを特徴とする請求項１に記載の樹脂硬化装置。
【請求項３】
上記光照射室内に、上記ユーザの手が挿入されているか否かを検知する検知部と、
上記検知部が上記ユーザの手が挿入されていないことを検知した場合に、上記第２光源の照射を停止する第２光源照射停止部と、を備えることを特徴とする請求項１または２に記載の樹脂硬化装置。
【請求項４】
上記第２光源が照射している状態にあることを上記ユーザに示す出力インジケータをさらに備え、
上記出力インジケータは、上記第２光源と直列に接続されることを特徴とする請求項１から３のいずれか１項に記載の樹脂硬化装置。
【請求項５】
上記光照射室内に挿入されている上記ユーザのスキンタイプを判定するスキンタイプ判定部と、
上記スキンタイプ判定部により判定された上記ユーザのスキンタイプ別に、上記第２光源の紫外光の照射量を決定する照射量決定部と、を備えることを特徴とする請求項１から４のいずれか１項に記載の樹脂硬化装置。
【発明の詳細な説明】
【技術分野】
【０００１】
本発明は、指の爪に塗布された樹脂に光を照射して硬化させる樹脂硬化装置に関する。
【背景技術】
【０００２】
指の爪に塗布された樹脂に紫外光を照射して、光学的に反応させることにより樹脂を硬化させる技術が従来から知られている。樹脂を硬化させる紫外光は、例えば３６５ｎｍ〜４０５ｎｍの波長領域の紫外光であり、紫外光のうち長波長の紫外光である。長波長域の紫外光であっても、長時間にわたる被ばくは人体の皮膚や眼に有害となる可能性があるため、指先に極力焦点を合わせて樹脂を硬化する紫外光を照射する工夫がなされている。
【０００３】
例えば、特許文献１には、光源筒を傾倒回転可動および上下調整して、光源の焦点を調整し、指爪部の局部に紫外光を照射する技術が開示されている。また、特許文献２には、１本の指が嵌る窪みを複数有する指置き台に置かれた指先に、樹脂を硬化させる紫外光を照射する技術が開示されている。
【先行技術文献】
【特許文献】
【０００４】
【特許文献１】特開２０１１‐９８０７３号公報（２０１１年５月１９日公開）
【特許文献２】特開２０１３‐２４８０３４号公報（２０１３年１２月１２日公開）
【発明の概要】
【発明が解決しようとする課題】
【０００５】
ところで、紫外線にはビタミンＤ生成に有効な波長領域（一般にＵＶ−Ｂ（ultraviolet-B）と言われている紫外線の波長領域であり、２８０ｎｍ〜３１５ｎｍまでの領域）がある。一般に紫外線を浴びることには抵抗があり、このような紫外線を照射する技術はなかなか導入されないという課題がある。
【０００６】
本発明は、上記の課題に鑑みてなされたものであって、その目的は、樹脂を硬化する紫外光に追加して、ビタミンＤの生成を促進する紫外光をユーザ自身の手に照射する装置を提供することにある。
【課題を解決するための手段】
【０００７】
上記の課題を解決するために、本発明の一態様に係る樹脂硬化装置は、ユーザの手が挿入可能な開口部と、上記開口部を有する器体の内部に形成される光照射室と、上記光照射室内に挿入されたユーザの爪に塗布された樹脂を硬化する第１紫外光を照射する第１光源と、ビタミンＤの生成を促進する第２紫外光を上記ユーザの手に照射する第２光源と、を備えている。
【発明の効果】
【０００８】
本発明の一態様によれば、ビタミンＤの生成を促進する紫外光を照射する構成を装置に導入することは容易となる。
【図面の簡単な説明】
【０００９】
【図１】本発明の一実施形態に係る樹脂硬化装置の要部構成を示すブロック図である。
【図２】上記樹脂硬化装置の外観を示す図である。
【図３】実施形態１の樹脂硬化装置が紫外光を照射する一例を概略的に示す図である。
【図４】（ａ）は、上記樹脂硬化装置が備える第１のＵＶ光源と第２のＵＶ光源との接続の一例を示す回路図である。（ｂ）は、上記樹脂硬化装置が備える第１のＵＶ光源と第２のＵＶ光源との接続の他の一例を示す回路図である。
【図５】（ａ）は、第２のＵＶ光源の構造の一例を示す上面図である。（ｂ）は、第２のＵＶ光源の構造の一例を示す側面図である。
【図６】第１のＵＶ光源および第２のＵＶ光源の照射を制御する処理の一例を示すフローチャートである。
【図７】実施形態２の樹脂硬化装置が紫外光を照射する例を概略的に示す図である。
【図８】ユーザの手が挿入されているか否かに応じて第２のＵＶ光源の照射を制御する処理の一例を示すフローチャートである。
【図９】実施形態３の樹脂硬化装置が紫外光を照射する例を概略的に示す図である。
【図１０】第２のＵＶ光源に出力インジケータを接続した例を示す回路図である。
【図１１】実施形態４の樹脂硬化装置が紫外光を照射する例を概略的に示す図である。
【図１２】（ａ）は、メラニン量に応じて分類したスキンタイプの判定例を示す表である。（ｂ）は、ＩＴＡ°に応じて分類したスキンタイプの判定例を示す表である。
【図１３】（ａ）は、第２のＵＶ光源が照射する上限時間をスキンタイプ別に決定した一例を示す表である。（ｂ）は、第２のＵＶ光源が照射する出力量をスキンタイプ別に決定した一例を示す表である。
【図１４】（ａ）は、決定された照射量に対応する照射時間を用いて、第２のＵＶ光源の照射を制御する処理の一例を示すフローチャートである。（ｂ）は、決定された照射量に対応する照射出力量を用いて、第２のＵＶ光源の照射を制御する処理の一例を示すフローチャートである。
【発明を実施するための形態】
【００１０】
〔実施形態１〕
本発明の実施形態について、図１〜図６に基づいて説明すれば以下のとおりである。
【００１１】
（外観図）
図２は、樹脂硬化装置１の外観を示す図である。樹脂硬化装置１は、ユーザの手が挿入可能な開口部３０、および開口部３０を有する器体３２の内部に形成される光照射室３１を有する。例えば、樹脂硬化装置１の外観の形状はかまくら形状である。
【００１２】
（紫外光照射の概要１）
図３は、実施形態１の樹脂硬化装置１ａが紫外光を照射する一例を概略的に示す図である。図３に示すように、樹脂硬化装置１ａは、第１のＵＶ光源（第１光源）１３および第２のＵＶ光源（第２光源）１４を備えている。なお、樹脂硬化装置１ａは制御部１２を備えていてもよい（不図示）。
【００１３】
第１のＵＶ光源１３は、樹脂を硬化させる紫外光（第１紫外光）を照射し、光照射室３１内に挿入されたユーザの爪に塗布された樹脂に対して紫外光を照射する位置に設置されている。例えば、第１のＵＶ光源１３の設置位置は、図３に示すように、開口部３０よりも奥における光照射室３１内の上部である。
【００１４】
第２のＵＶ光源１４はビタミンＤの生成を促進する紫外光（第２紫外光）を照射し、光照射室３１内に挿入されたユーザの手に対して紫外光を照射する位置に設置されている。例えば、第２のＵＶ光源１４の設置位置は、図３に示すように、第１のＵＶ光源１３設置位置よりも開口部３０側における光照射室３１内の底部であり、第２のＵＶ光源１４は、ユーザの手のひらに紫外光を照射する。
【００１５】
通常、手のひらのメラニン量は、手の甲のメラニン量よりも少ない。本来、メラニンは皮膚に照射する紫外光を吸収することにより、紫外光による皮膚の炎症を防いでいる。このため、メラニン量の多い部位に紫外光を照射すると、メラニンにより紫外線が吸収され、ビタミンＤの生成を促進することができない。また、ビタミンＤの生成を促進する程度の紫外光の照射量をメラニン量の多い部位に照射する場合、紫外光の照射量が多くなるため、ユーザの皮膚において新たなメラニンを生成させてしまう恐れがある。それゆえ、メラニン量の少ない部位に紫外光を照射することは、少ない照射量の紫外光でビタミンＤの生成を促進することが可能となる。また、紫外光の照射量は少ないため、ユーザのメラニン量が増加する虞がなく、ユーザの肌が黒くなる虞はない。
【００１６】
なお、図３に図示しないが、樹脂硬化装置１ａは、第１のＵＶ光源１３および第２のＵＶ光源１４に電力を供給するための電源部を備えている。
【００１７】
（回路図）
図４は、第１のＵＶ光源１３と第２のＵＶ光源１４との接続例を示す回路図である。図４の（ａ）は、第１のＵＶ光源１３と第２のＵＶ光源１４とが、並列に接続されており、スイッチａの開閉により第１のＵＶ光源１３および第２のＵＶ光源１４の照射が同時に制御される。例えば、スイッチａがＯＮ（閉）状態の場合、第１のＵＶ光源１３および第２のＵＶ光源１４は紫外光を照射する。また、スイッチａがＯＦＦ（開）状態の場合、第１のＵＶ光源１３および第２のＵＶ光源１４の照射は停止する。
【００１８】
図４の（ｂ）は、第２のＵＶ光源１４側の回路にスイッチｂを追加している点で、図４の（ａ）に示す回路図と異なる。図４の（ｂ）に示す回路図では、第２のＵＶ光源１４の照射は、第１のＵＶ光源１３の照射と別に制御される。例えば、スイッチａがＯＮ（閉）状態かつスイッチｂがＯＦＦ（開）状態の場合、第１のＵＶ光源１３は紫外光を照射し、第２のＵＶ光源１４の照射は停止する。なお、スイッチａがＯＮ（閉）状態の場合、スイッチｂの開閉に関らず、第１のＵＶ光源１３は紫外光を照射する。
【００１９】
以降の説明では図４の（ｂ）に示す回路図を用いた樹脂硬化装置１について説明する。
【００２０】
（第２のＵＶ光源の構造図）
図５の（ａ）は、第２のＵＶ光源１４の構造の一例を示す上面図である。図５の（ａ）に示すように、第２のＵＶ光源１４の中央には、ＬＥＤ（light emitting diode）基板４０、ＬＥＤ４１、カットフィルタ４２、および石英ガラス４３が備えられている。ＬＥＤ基板４０には、ＬＥＤ配線４４の端部であるカソード側コネクタ４５とアノード側コネクタ４６とが取り付けられている。
【００２１】
図５の（ｂ）は、第２のＵＶ光源１４の構造の一例を示す側面図である。図５の（ｂ）に示すように、ＬＥＤ取付板５０を最下層として、ＬＥＤ基板４０等が層状に備えられる。なお、以下の説明において、ＬＥＤ取付板５０にＬＥＤ基板４０が備えられている方向を上方として定義する。
【００２２】
ＬＥＤ基板４０の上方の面（以下、上面とする）にはＬＥＤ４１が設置される。また、ＬＥＤ取付板５０の上面には、ＬＥＤ取付板５０およびＬＥＤ基板４０を押さえるようにして、中央に孔を有するベースＢが備えられている。ベースＢの孔には、ＬＥＤ４１が収まっており、ＬＥＤ４１の上面に備えられたカットフィルタ４２が嵌っている。
【００２３】
ベースＢの上面には、ベースＢおよびカットフィルタ４２を押さえるようにして、中央に孔を有するベースＡが備えられている。ベースＡの孔には、カットフィルタ４２の上面から離れた位置に、石英ガラス４３が嵌っている。ベースＡの上面には、ベースＡおよび石英ガラス４３を押さえるようにして、中央に孔を有する押さえ板５１が備えられている。
【００２４】
上記の構成によれば、ＬＥＤ４１から照射される光がカットフィルタ４２により特定の範囲内で照射するように調整される。そして、カットフィルタ４２により調整された光が石英ガラス４３を通過することにより、ビタミンＤの生成を促進する紫外光が照射される。また、ＬＥＤ４１を用いることにより、蛍光ランプを用いることと比較して、第２のＵＶ光源１４から照射される紫外光の分光分布を一定の範囲内に出力することが容易となる。
【００２５】
（樹脂硬化装置１の要部構成）
図１は、樹脂硬化装置１（１ａ）の要部構成を示すブロック図である。樹脂硬化装置１は、入力受付部１１、制御部１２、第１のＵＶ光源１３、および第２のＵＶ光源１４を備えている。なお、第１センサ１５については実施形態２にて後述する。また、第２センサ１６については、実施形態４にて後述する。
【００２６】
入力受付部１１は、ユーザの入力を受け付けるものである。例えば、入力受付部１１はボタンなどで構成されており、照射開始を示す入力および照射停止を示す入力を受け付ける。制御部１２は、入力受付部１１から通知される情報に基づいて、第１のＵＶ光源１３および第２のＵＶ光源１４の照射を制御する。
【００２７】
第１のＵＶ光源１３は、光照射室３１内に挿入されたユーザの爪に塗布された樹脂を硬化する紫外光を照射する。例えば、第１のＵＶ光源１３は、樹脂を硬化する紫外光の内、長波長域（より具体的には３６５ｎｍ〜４５０ｎｍ）の紫外光を照射する。
【００２８】
第２のＵＶ光源１４は、ビタミンＤの生成を促進する紫外光を、光照射室３１内に挿入されたユーザの手に照射する。第２のＵＶ光源１４の紫外光は、ビタミンＤの生成を促進する紫外光の内、長波長域（例えば３００ｎｍ〜３１５ｎｍ）の紫外光であることが好ましい。さらに、ビタミンＤの生成をより促進させるためには、第２のＵＶ光源１４の紫外光の波長は３００ｎｍ〜３１０ｎｍであることがより好ましい。
【００２９】
制御部１２は、照射制御部２１、第２のＵＶ光源照射停止部（第２光源照射停止部）２３、および時間設定部２７を備えている。なお、挿入判定部２２の詳細については、実施形態２にて後述する。また、スキンタイプ判定部２４、照射量決定部２５、および出力量設定部２６の詳細については、実施形態４にて後述する。
【００３０】
照射制御部２１は、第１のＵＶ光源１３および第２のＵＶ光源１４の照射を制御する。例えば、入力受付部１１から照射開始を示す情報が通知されると、第１のＵＶ光源１３および第２のＵＶ光源１４の照射を開始する。そして、照射制御部２１は、第２のＵＶ光源１４の照射時間をカウントする指示を示す情報を時間設定部２７に通知する。また、入力受付部１１から照射停止を示す情報が通知されると、第１のＵＶ光源１３および第２のＵＶ光源１４の照射を停止する。
【００３１】
時間設定部２７は、照射制御部２１から照射時間をカウントする指示を示す情報が通知されると、予め設定されている時間（例えば６分）を第２のＵＶ光源１４が照射する上限時間Ｔに設定する。また、時間設定部２７は、第２のＵＶ光源１４の照射時間をカウントし、カウントしている第２のＵＶ光源１４の照射時間が上限時間Ｔ以上となるか否かを判定する。第２のＵＶ光源１４の照射時間が上限時間Ｔ以上となる場合、時間設定部２７は、第２のＵＶ光源照射停止部２３に通知する。
【００３２】
第２のＵＶ光源照射停止部２３は、照射制御部２１により開始された第２のＵＶ光源１４の照射を停止するよう、照射制御部２１に指示する。例えば、第２のＵＶ光源照射停止部２３は、時間設定部２７から通知されると、第２のＵＶ光源１４の照射を停止するよう、照射制御部２１に指示する。
【００３３】
上記の構成によれば、ユーザは、爪に塗布された樹脂を硬化させつつ、ユーザ自身の体内でビタミンＤの生成を促進することが可能となる。紫外光による人体への影響（炎症や日焼けなど）を懸念するユーザであっても、樹脂を硬化する紫外光に対するユーザの心理的ハードルは低い。このため、ユーザは、樹脂を硬化する紫外光が照射されているときであれば、ビタミンＤの生成を促進する紫外光も併せてユーザ自身の手に照射することにそれほどためらうことはないはずである。それゆえ、ビタミンＤの生成を促進する紫外光を照射する構成を装置に導入することは容易となる。
【００３４】
本来、ビタミンＤには新しい肌細胞を成長させる効果があると言われている。それゆえ、肌荒れを治したり、コラーゲン生成を促したり、くすみを解消するなどの美肌効果を奏することが可能となる。
【００３５】
また、上記の構成によれば、ビタミンＤの生成を促進する紫外光のうち長波長の紫外光（例えば、波長が３００ｎｍ〜３１５ｎｍ波長域の光）が、ユーザの手に照射される。このため、紫外光によるユーザへの悪影響を低減しつつ、ビタミンＤの生成を促進することが可能となる。
【００３６】
（照射制御例）
図６は、第１のＵＶ光源１３および第２のＵＶ光源１４の照射を制御する処理の一例を示すフローチャートである。入力受付部１１が照射開始を示す入力を受け付けると（Ｓ１にてＹＥＳ）、照射制御部２１はスイッチａ（図４の（ｂ）参照）をＯＮ状態とし、第１のＵＶ光源１３の照射を開始する（Ｓ２）。また、照射制御部２１はスイッチｂ（図４の（ｂ）参照）もＯＮ状態とし、第２のＵＶ光源１４は照射を開始する（Ｓ３）。
【００３７】
そして、照射制御部２１は、時間設定部２７にタイムカウントする旨を通知し、時間設定部２７は、第２のＵＶ光源１４の照射時間を計測する。時間設定部２７は、計測している第２のＵＶ光源１４の照射時間が、予め設定された上限時間Ｔ（例えば６分）以上となるか否かを判定する（Ｓ４）。
【００３８】
第２のＵＶ光源１４の照射時間が、予め設定された上限時間Ｔ（例えば６分）以上となる場合（Ｓ４にてＹＥＳ）、時間設定部２７は、第２のＵＶ光源照射停止部２３に通知する。そして、第２のＵＶ光源照射停止部２３は、第２のＵＶ光源１４の照射を停止するよう、照射制御部２１に指示する。そして、照射制御部２１はスイッチｂ（図４の（ｂ）参照）をＯＦＦ状態とし、第２のＵＶ光源１４の照射を停止する（Ｓ５）。
【００３９】
次に、入力受付部１１が照射停止を示す入力を受け付けると（Ｓ６にてＹＥＳ）、照射制御部２１は、スイッチａに加えてスイッチｂもＯＦＦ状態とし（図４の（ｂ）参照）、第２のＵＶ光源１４の照射に加えて第１のＵＶ光源１３の照射を停止する（Ｓ７）。
【００４０】
一方、第２のＵＶ光源１４の照射時間が、予め設定された上限時間Ｔ（例えば６分）未満である場合に（Ｓ４にてＮＯ）、入力受付部１１が照射停止を示す入力を受け付けると（Ｓ８にてＹＥＳ）、Ｓ７の処理に移行する。また、Ｓ８にてＮＯの場合、Ｓ４以降の処理を繰り返す。
【００４１】
上記の構成によれば、ビタミンＤの生成を促進する紫外光を過剰に照射することを防止することが可能となる。このため、ユーザは、ビタミンＤの生成を促進する紫外光を必要以上に浴びることがない。
【００４２】
〔実施形態２〕
本発明の他の実施形態について、図７および図８に基づいて説明すれば、以下のとおりである。本実施形態では、光照射室３１内にユーザの手が挿入されているか否かに応じて、第２のＵＶ光源１４の照射制御を行う。なお、説明の便宜上、前記実施形態にて説明した部材と同じ機能を有する部材については、同じ符号を付記し、その説明を省略する。
【００４３】
（紫外光照射の概要２）
図７は、実施形態２の樹脂硬化装置１ｂが紫外光を照射する例を概略的に示す図である。図７に示すように、樹脂硬化装置１ｂは、制御部１２、第１センサ１５および電源部を備えている点で、図３にて上述した樹脂硬化装置１ａと異なる。
【００４４】
制御部１２は、第１のＵＶ光源１３および第２のＵＶ光源１４の照射を、図４の（ｂ）にて上述したスイッチａおよびスイッチｂを開閉することにより制御する。例えば、制御部１２は、第１センサ１５が計測した結果から、ユーザの手が光照射室３１内に挿入されたことを検知した場合、スイッチａおよびスイッチｂをＯＮ（閉）状態とし、第２のＵＶ光源１４の照射を開始する。また、制御部１２は、第１センサ１５が計測した結果から、ユーザの手が光照射室３１内に挿入されていないことを検知した場合、スイッチｂをＯＦＦ（開）状態とし、第２のＵＶ光源１４の照射を停止する。
【００４５】
なお、電源部は、第１のＵＶ光源１３および第２のＵＶ光源１４に供給する電力を蓄電する電池である。電池の代わりに、ＤＣＤＣコンバータを内蔵し、ＤＣＤＣ変換（直流電圧変換）を行うことで、アダプタから供給される電源電圧を所望の電圧に変換して、第１のＵＶ光源１３および第２のＵＶ光源１４に電力を供給してもよい。
【００４６】
（樹脂硬化装置１の要部構成）
次に、図１に基づいて、本実施形態に係る樹脂硬化装置１（１ｂ）について説明する。実施形態２における樹脂硬化装置１は、第１センサ１５および挿入判定部（検知部）２２を備えている点で実施形態１における樹脂硬化装置１（１ａ）と異なる。このため、照射制御部２１および第２のＵＶ光源照射停止部２３の処理も、実施形態１における樹脂硬化装置１と異なる。
【００４７】
実施形態２の樹脂硬化装置１は、実施形態１における樹脂硬化装置１の構成に加えて、第１センサ１５を備えている。第１センサ１５は、例えば距離センサまたは赤外線センサである。第１センサ１５が距離センサの場合には、光照射室３１（図７参照）の内壁面とユーザの手との距離を計測する。第１センサ１５が赤外線センサの場合には、光照射室３１内に挿入されたユーザの手の温度を計測する。そして、第１センサ１５は、計測した結果を示す情報を挿入判定部２２に通知する。
【００４８】
また、実施形態２の樹脂硬化装置１が有する制御部１２は、実施形態１における制御部１２の構成に加えて、挿入判定部２２を備えている。挿入判定部２２は、第１センサ１５から通知される情報を用いて、ユーザの手が光照射室３１内（図７参照）に挿入されているか否かを判定する。挿入判定部２２は、ユーザの手が光照射室３１内に挿入されたと判定する場合、照射開始を示す情報を照射制御部２１に通知する。挿入判定部２２は、ユーザの手が光照射室３１内に挿入されていないと判定する場合、第２のＵＶ光源照射停止部２３に通知する。
【００４９】
照射制御部２１は、挿入判定部２２から照射開始を示す情報が通知されると、第２のＵＶ光源１４の照射を開始する。また、照射制御部２１は、入力受付部１１から照射開始を示す情報が通知されると、第１のＵＶ光源１３の照射を開始する。
【００５０】
第２のＵＶ光源照射停止部２３は、挿入判定部２２から通知されると、第２のＵＶ光源１４の照射を停止するよう、照射制御部２１に指示する。そして、照射制御部２１は、第２のＵＶ光源１４の照射を停止する。
【００５１】
（第２のＵＶ光源１４の制御処理例）
図８は、ユーザの手が挿入されているか否かに応じて第２のＵＶ光源１４の照射を制御する処理の一例を示すフローチャートである。スイッチａ（図４の（ｂ）参照）がＯＮ状態である場合（図８のＳ１１にてＹＥＳ）、第１のＵＶ光源１３は紫外光をユーザに照射する（Ｓ１２）。一方、スイッチａ（図４の（ｂ）参照）がＯＦＦ状態である場合（図８のＳ１１にてＮＯ）、第１のＵＶ光源１３の照射は停止する（Ｓ１３）。
【００５２】
次に、挿入判定部２２は、第１センサ１５の計測結果から、光照射室３１内にユーザの手が挿入されたか否かを判定（検知）する（Ｓ１４）。挿入判定部２２が、光照射室３１内にユーザの手が挿入されたことを判定（検知）すると（Ｓ１４にてＹＥＳ）、第２のＵＶ光源１４の照射を開始する旨を照射制御部２１に通知し、照射制御部２１は、スイッチｂ（図４の（ｂ）参照）をＯＮ状態とする（Ｓ１５）。そして、第２のＵＶ光源１４から紫外光がユーザに照射される（Ｓ１６）。Ｓ１６の後、Ｓ１１以降の処理を繰り返す。
【００５３】
一方、挿入判定部２２が、光照射室３１内にユーザの手が挿入されていないことを検知すると（Ｓ１４にてＮＯ）、第２のＵＶ光源１４の照射を停止する旨を第２のＵＶ光源照射停止部２３に通知し、第２のＵＶ光源照射停止部２３に通知し、第２のＵＶ光源照射停止部２３は第２のＵＶ光源１４の照射を停止するよう照射制御部２１に指示する。そして、照射制御部２１は、スイッチｂ（図４の（ｂ）参照）をＯＦＦ状態とする（Ｓ１７）。そして、第２のＵＶ光源１４の照射が停止する（Ｓ１８）。Ｓ１８の後、Ｓ１１以降の処理を繰り返す。
【００５４】
上記の構成によれば、ユーザの手が光照射室内に挿入されていない場合に、第２光源の照射が停止される。このため、ユーザが樹脂硬化装置１を使用していない場合に、ユーザが誤って紫外光を直視することを防止できる。
【００５５】
〔実施形態３〕
本発明の他の実施形態について、図９および図１０に基づいて説明すれば、以下のとおりである。本実施形態は、第２のＵＶ光源１４が照射している間、出力インジケータを点灯する。
【００５６】
（紫外光照射の概要３）
図９は、実施形態３の樹脂硬化装置１ｃが紫外光を照射する例を概略的に示す図である。図９に示すように、樹脂硬化装置１ｃは、出力インジケータ１７を備えている点で図７にて上述した樹脂硬化装置１ｂと異なる。
【００５７】
出力インジケータ１７は、可視光を放射する光源である。例えば、出力インジケータ１７は、図９に示すように光照射室３１内に備えられていてもよい。出力インジケータ１７は可視光を、開口部３０に向けて放射してもよいし、光照射室３１内の壁面に向けて放射してもよい。ユーザは、出力インジケータ１７の可視光を視認することにより、第２のＵＶ光源１４が紫外光を照射していることを確認することが可能となる。
【００５８】
出力インジケータ１７が、光照射室３１内の壁面に向けて可視光を放射する構成の場合、光照射室３１内の壁面は反射材料（例えば金属）で形成される。出力インジケータ１７から放射された可視光は、光照射室３１の内壁面にて反射され、光照射室３１内に挿入されたユーザの手に照射される。このため、可視光がユーザの手から反射する。それゆえ、ユーザは、自身の手に照射している可視光を視認することにより、視認不可能な紫外光の照射を実感して確認することが可能となる。
【００５９】
なお、出力インジケータ１７は、光照射室３１内に備えられることに限定しない。例えば、樹脂硬化装置１ｃの外形における任意の部位に備えられ、ユーザが直接出力インジケータ１７の点灯を確認できる構成であってもよい。
【００６０】
（出力インジケータを接続した回路図）
第２のＵＶ光源１４が照射している間中、出力インジケータ１７が点灯する構成について説明する。図１０は、第２のＵＶ光源１４に出力インジケータ１７を接続した例を示す回路図である。図１０に示すように、出力インジケータ１７は、第２のＵＶ光源１４とスイッチｂとの間に直列接続されている。なお、図１０の回路図は、出力インジケータ１７を含む点で、図４に示した回路図と異なる。
【００６１】
上記の構成によれば、出力インジケータ１７および第２のＵＶ光源１４のうち少なくとも一方が何らかの原因により故障した場合、いずれも点灯することがない。例えば、出力インジケータ１７が何らかの原因により点灯不可能となった場合、第２のＵＶ光源の照射は停止する。また、第２のＵＶ光源１４が照射している間は、必ず出力インジケータ１７が点灯する。このため、ユーザは、出力インジケータ１７の可視光を視認することにより、第２光源の照射の有無を確認することが可能となる。それゆえ、ユーザが誤って第２のＵＶ光源１４の紫外光を直接目視することを防止することが可能となる。
【００６２】
〔実施形態４〕
本発明の他の実施形態について、図１１〜図１４に基づいて説明すれば、以下のとおりである。本実施形態では、ユーザのスキンタイプに応じて第２のＵＶ光源１４の照射量を決定する。
【００６３】
（紫外光照射の概要４）
図１１は、実施形態４の樹脂硬化装置１ｄが紫外光を照射する例を概略的に示す図である。図１１に示すように、樹脂硬化装置１ｄは、第２センサ１６を備えている点で図９にて上述した樹脂硬化装置１ｃと異なる。
【００６４】
図１１に示すように、例えば、第２センサ１６は、ユーザが光照射室３１内に手を挿入した状態において、開口部３０におけるユーザの手首に対向する位置に設置され、ユーザの手首におけるメラニン量または明度を計測する。制御部１２は、第２センサ１６が計測した結果からユーザのスキンタイプを判定し、判定したスキンタイプに対応する照射量を決定する。第２のＵＶ光源１４は、制御部１２により決定された照射量の紫外光を照射する。
【００６５】
（樹脂硬化装置１の要部構成）
次に、図１に基づいて、本実施形態に係る樹脂硬化装置１（１ｄ）について説明する。実施形態４における樹脂硬化装置１は第２センサ１６、スキンタイプ判定部２４、照射量決定部２５、および出力量設定部２６を備えている点で実施形態２における樹脂硬化装置１（１ｂ）と異なる。このため、照射制御部２１および時間設定部２７の処理も、実施形態２における樹脂硬化装置１と異なる。
【００６６】
実施形態４の樹脂硬化装置１は、実施形態２における樹脂硬化装置１の構成に加えて、第２センサ１６を備えている。第２センサ１６は、例えばメグザメータまたは色彩色差計である。第２センサ１６がメグザメータの場合には、光照射室３１内（図１１参照）に挿入されたユーザの手首におけるメラニン量を計測する。第２センサ１６が色彩色差計の場合には、光照射室３１内に挿入されたユーザの手首における、Ｌ＊ａ＊ｂ＊表色系による皮膚の色を測定（計測）する。なお、Ｌ＊値は、黒色から白色の値を示し、ａ＊値は、赤色から緑色の値を示し、ｂ＊値は、黄色から青色の値を示す。Ｌ＊パラメータおよびｂ＊パラメータは、皮膚の白さに関係する。そして、第２センサ１６は、計測した結果を示す情報をスキンタイプ判定部２４に通知する。
【００６７】
また、実施形態４の樹脂硬化装置１が有する制御部１２は、実施形態２における制御部１２の構成に加えて、スキンタイプ判定部２４、照射量決定部２５、および出力量設定部２６を備えている。
【００６８】
スキンタイプ判定部２４は、第２センサ１６から通知される情報を用いて、光照射室３１内（図１１参照）に挿入されたユーザの手のスキンタイプを判定する。スキンタイプ判定の詳細については、図１２にて後述する。
【００６９】
照射量決定部２５は、スキンタイプ判定部２４が判定したスキンタイプに応じて、第２のＵＶ光源１４の照射量を決定する。照射量は、照射する出力量と照射する時間とを乗じた値である。このため、照射量決定部２５は、第２のＵＶ光源１４の照射出力量または照射時間を調整することにより、第２のＵＶ光源１４の照射量を決定する。そして、照射量決定部２５は、調整した照射出力量を示す情報を出力量設定部２６に通知し、調整した照射時間を示す情報を時間設定部２７に通知する。なお、照射量の決定の詳細については、図１３にて後述する。
【００７０】
出力量設定部２６は、照射量決定部２５から通知された情報が示す照射出力量を、第２のＵＶ光源１４の出力量として設定する。なお、照射出力量が予め一定に設定されている場合、出力量設定部２６は、予め設定されている照射出力量を第２のＵＶ光源１４の出力量Ｐとして設定する。そして、照射制御部２１に照射開始を示す情報を通知する。
【００７１】
照射制御部２１は、出力量設定部２６の通知に応じて、出力量設定部２６が設定した出力量Ｐで第２のＵＶ光源１４の照射を開始する。なお、照射制御部２１は、入力受付部１１から照射開始を示す情報が通知されると、第１のＵＶ光源１３の照射を開始する。
【００７２】
時間設定部２７は、照射量決定部２５から通知された情報が示す照射時間を、第２のＵＶ光源１４が照射する上限時間Ｔとして設定し、第２のＵＶ光源１４が照射している時間をカウントする。なお、照射時間が予め一定に設定されている場合、時間設定部２７は、予め設定されている照射時間を、第２のＵＶ光源１４が照射する上限時間Ｔとして設定する。
【００７３】
（スキンタイプの判定）
スキンタイプ判定部２４のスキンタイプ判定について説明する。図１２は、スキンタイプの判定例を示す表である。図１２に示すスキンタイプＩ〜VIは、紫外光による皮膚の反応（赤くなるか黒くなるか）の違いにより分類される。スキンタイプＩは、紫外光による皮膚の反応が、非常に赤くなりやすい一方で、決して黒くならないタイプである。スキンタイプIIは、紫外光による皮膚の反応が、容易に赤くなり、かつわずかに黒くなるタイプである。スキンタイプIIIは、紫外光による皮膚の反応が、赤くなった後、すぐ黒くなるタイプである。スキンタイプIVは、紫外光による皮膚の反応が、あまり赤くならず、かつすぐ黒くなるタイプである。スキンタイプＶは、紫外光による皮膚の反応が、めったに赤くならず、かつ非常に黒くなるタイプである。スキンタイプVIは、紫外光による皮膚の反応が、決して赤くならず、非常に黒くなるタイプである。例えば、日本人においてはスキンタイプIIIである人が多いことが知られている。
【００７４】
図１２の（ａ）は、メラニン量に応じて分類したスキンタイプの判定例を示す表である。ここで、図１２の（ａ）のメラニン量はメグザメータで測定したＮ値を示し、Ｎ値が小さいほどメラニン量が少なく紫外光による皮膚の反応が赤くなりやすく、Ｎ値が大きいほどメラニン量が多く紫外光による皮膚の反応が黒くなりやすい、と評価できる。
【００７５】
第２センサ１６がメラニン量を計測する場合、第２センサ１６が計測したメラニン量に応じてユーザのスキンタイプが判定される。例えば、図１２の（ａ）に示すように、メラニン量が４５０以下である場合、ユーザのスキンタイプはＩであると判定される。また、メラニン量が４５０より大きく４７０未満である場合、ユーザのスキンタイプはIIであると判定される。メラニン量が４７０以上４９０未満である場合、ユーザのスキンタイプはIIIであると判定される。さらに、メラニン量が２０増加する毎に、ユーザのスキンタイプはIV、Ｖと判定され、メラニン量が５３０以上である場合、ユーザのスキンタイプはVIであると判定される。
【００７６】
図１２の（ｂ）は、測色による肌のＩＴＡ°（Ｉｎｄｉｖｉｄｕａｌ  Ｔｙｐｏｌｏｇｙ  Ａｎｇｌｅ）に応じて分類したスキンタイプの判定例を示す表である。ＩＴＡ°は角度によりＬ＊ａ＊ｂ＊表色系（ＪＩＳ  Ｚ８７８１−４：２０１３）に基づき、皮膚の白さ（明るさ）を示したものである。第２センサ１６が色彩色差計の場合、スキンタイプ判定部２４は、第２センサ１６が測定したユーザの手首における皮膚の色（ｂ＊値およびＬ＊値）を用いてＩＴＡ°を算出する。具体的には、上記測定されたｂ＊値およびＬ＊値を、式〔Ａｒｃ  Ｔａｎｇｅｎｔ（（Ｌ＊−５０）／ｂ＊）〕１８０／３．１４１６に代入してＩＴＡ°を求める。
【００７７】
なお、ＩＴＡ°の算出は、スキンタイプ判定部２４が行ってもよいし、第２センサ１６が行ってもよい。例えば、ＩＴＡ°を算出する機能として既存の色彩色差計を用いて、上記の式を色彩色差計に設定することで、第２センサ１６にてＩＴＡ°を直接検出することができる。
【００７８】
そして、スキンタイプ判定部２４は、算出したＩＴＡ°に応じてユーザのスキンタイプを判定する。
【００７９】
ここで、図１２の（ｂ）に示すＩＴＡ°は値が大きいほど明るい。したがって、ＩＴＡ°の値が大きいほどユーザの皮膚はメラニン量が少ない。対して、ＩＴＡ°の値が小さいほどユーザの皮膚はメラニン量が多い。
【００８０】
第２センサ１６がユーザの皮膚の色を測定する場合、第２センサ１６が測定したＬ＊ａ＊ｂ＊測色結果による計算値に応じてユーザのスキンタイプが判定される。例えば、図１２の（ｂ）に示すように、ＩＴＡ°が５５°より大きい場合、ユーザの皮膚の色は非常に明るい色であり、ユーザのスキンタイプはＩであると判定される。また、ＩＴＡ°が４１°より大きく５５°以下である場合、ユーザの皮膚の色は明るい色であり、ユーザのスキンタイプはIIであると判定される。ＩＴＡ°が２８°より大きく４１°以下である場合、ユーザの皮膚の色は中程度に明るい色であり、ユーザのスキンタイプはIIIであると判定される。ＩＴＡ°が１０°より大きく２８°以下である場合、ユーザの皮膚の色はタン（マット）であり、ユーザのスキンタイプはIVであると判定される。ＩＴＡ°が−３０°より大きく１０°以下である場合、ユーザの皮膚の色は茶色であり、ユーザのスキンタイプはＶであると判定される。ＩＴＡ°が−３０°以下である場合、ユーザの皮膚の色は黒色であり、ユーザのスキンタイプはVIであると判定される。
【００８１】
なお、本実施の形態では、第２センサ１６が、第２センサ１６がメグザメータまたは色彩色差計の場合で説明したが、第２センサ１６が色彩照度計でもよい。第２センサ１６が色彩照度計の場合にも、色彩色差計と同様に、光照射室３１内に挿入されたユーザの手首における、Ｌ＊ａ＊ｂ＊表色系による皮膚の色を測定（計測）することができる。
【００８２】
（照射量の決定）
次に、照射量決定部２５が決定する第２のＵＶ光源１４の照射量について説明する。まず、ユーザが受容可能な紫外光の最大許容量が、予め決定されているものとする。例えば、紫外光の最大許容量が、例えば皮膚紅斑量に準じて決定されており、スキンタイプがＩであるユーザの最大許容量は２００（Ｊ／ｍ２）であり、スキンタイプがII〜VIであるユーザの最大許容量は、順に２５０、３００、４５０、６００、１０００（Ｊ／ｍ２）である。第２のＵＶ光源１４が照射する照射量は、上述した最大許容量以下の値に決定される。例えば、スキンタイプがＩであるユーザに対する照射量は１２０（Ｊ／ｍ２）であり、スキンタイプがII〜VIであるユーザに対する照射量は、順に１５０、１８０、２７０、３６０、６００（Ｊ／ｍ２）である。
【００８３】
図１３の（ａ）は、第２のＵＶ光源１４が照射する上限時間Ｔを、スキンタイプ別に決定した一例を示す表である。第２のＵＶ光源１４が照射する出力量Ｐが３０ｍＷである場合、照射量決定部２５は、第２のＵＶ光源１４が照射する上限時間Ｔを、スキンタイプＩのユーザには４分、スキンタイプIIのユーザには５分、スキンタイプIIIのユーザには６分、スキンタイプIVのユーザには９分、スキンタイプＶのユーザには１２分、スキンタイプVIのユーザには２０分に調整する。
【００８４】
図１３の（ｂ）は、第２のＵＶ光源１４が照射する出力量Ｐを、スキンタイプ別に決定した一例を示す表である。第２のＵＶ光源１４が照射する上限時間Ｔが６分である場合、照射量決定部２５は、第２のＵＶ光源１４が照射する出力量Ｐを、スキンタイプＩのユーザには２０ｍＷ、スキンタイプIIのユーザには２５ｍＷ、スキンタイプIIIのユーザには３０ｍＷ、スキンタイプIVのユーザには４５ｍＷ、スキンタイプＶのユーザには６０ｍＷ、スキンタイプVIのユーザには１００ｍＷに調整する。
【００８５】
（調整した照射時間を用いて照射を制御する処理例）
図１４の（ａ）は、決定された照射量に対応する照射時間を用いて、第２のＵＶ光源１４の照射を制御する処理の一例を示すフローチャートである。本処理では、第２のＵＶ光源１４の出力量Ｐが予め一定に設定されていることとする。このため、第２のＵＶ光源１４の照射量は、照射時間を調整することにより決定される（図１３の（ａ）参照）。
【００８６】
スキンタイプ判定部２４は、図１２にて上述したとおり第２センサ１６が計測した値からユーザのスキンタイプを判定する（図１４の（ａ）のＳ２１）。照射量決定部２５は、Ｓ２１にて判定されたスキンタイプに対応する照射時間を調整することにより（図１３の（ａ）参照）、第２のＵＶ光源１４の照射量を決定する（図１４の（ａ）のＳ２２）。そして、照射量決定部２５は、調整した照射時間を時間設定部２７に通知し、予め設定された出力量を出力量設定部２６に通知する。
【００８７】
次に、時間設定部２７は、Ｓ２２にて決定された照射量に対応する照射時間を、第２のＵＶ光源１４が照射する上限時間Ｔとして設定する（Ｓ２３）。そして、出力量設定部２６は照射制御部２１に通知し、照射制御部２１は、予め設定されている出力量Ｐで第２のＵＶ光源１４の照射を開始する（Ｓ２４）。また、時間設定部２７は、第２のＵＶ光源１４が照射している時間をカウントする。
【００８８】
時間設定部２７は、第２のＵＶ光源１４の照射時間が、Ｓ２３にて設定した上限時間Ｔ以上となるか否かを判定する（Ｓ２５）。第２のＵＶ光源１４の照射時間がＳ２３にて設定した上限時間Ｔ以上となる場合（Ｓ２５にてＹＥＳ）、時間設定部２７は、第２のＵＶ光源照射停止部２３に通知し、第２のＵＶ光源照射停止部２３は第２のＵＶ光源１４の照射を停止するよう照射制御部２１に指示する。そして、照射制御部２１は、第２のＵＶ光源１４の照射を停止する（Ｓ２６）。一方、第２のＵＶ光源１４の照射時間がＳ２３にて設定した上限時間Ｔ未満となる場合（Ｓ２５にてＮＯ）、Ｓ２５の処理を繰り返す。
【００８９】
（調整した出力量を用いて照射を制御する処理例）
図１４の（ｂ）は、決定された照射量に対応する照射出力量を用いて、第２のＵＶ光源１４の照射を制御する処理の一例を示すフローチャートである。本処理では、第２のＵＶ光源１４が照射する上限時間Ｔが予め一定に設定されている点で、図１４の（ａ）にて上述した処理と異なる。このため、本処理における第２のＵＶ光源１４の照射量は、出力量Ｐを調整することにより決定される（図１３の（ｂ）参照）。
【００９０】
図１４の（ｂ）に示すように、スキンタイプ判定部２４は、ユーザのスキンタイプを判定する（Ｓ３１、図１４の（ａ）に示すＳ２１と同一処理）。照射量決定部２５は、Ｓ３１にて判定されたスキンタイプに対応する出力量Ｐを調整することにより（図１３の（ｂ）参照）、第２のＵＶ光源１４の照射量を決定する（図１４の（ｂ）のＳ３２）。そして、照射量決定部２５は、調整した出力量を出力量設定部２６に通知し、予め設定された照射時間を時間設定部２７に通知する。
【００９１】
次に、出力量設定部２６は、Ｓ３２にて決定された照射量に対応する出力量を、第２のＵＶ光源１４の出力量Ｐとして設定する（Ｓ３３）。そして、出力量設定部２６は照射制御部２１に通知し、照射制御部２１は、Ｓ３３にて設定された出力量Ｐで第２のＵＶ光源１４の照射を開始する（Ｓ３４）。また、時間設定部２７は、第２のＵＶ光源１４が照射している時間をカウントする。
【００９２】
時間設定部２７は、第２のＵＶ光源１４の照射時間が、予め設定された上限時間Ｔ以上となるか否かを判定する（Ｓ３５）。第２のＵＶ光源１４の照射時間が予め設定された上限時間Ｔ以上となる場合（Ｓ３５にてＹＥＳ）、時間設定部２７は、第２のＵＶ光源照射停止部２３に通知し、第２のＵＶ光源照射停止部２３は第２のＵＶ光源１４の照射を停止するよう照射制御部２１に指示する。そして、照射制御部２１は、第２のＵＶ光源１４の照射を停止する（Ｓ３６）。一方、第２のＵＶ光源１４の照射時間が予め設定された上限時間Ｔ未満となる場合（Ｓ３５にてＮＯ）、Ｓ３５の処理を繰り返す。
【００９３】
上記構成によれば、ユーザのスキンタイプ別に第２のＵＶ光源１４の紫外光の照射量が決定される。それゆえ、ユーザは、日焼けなどの心配をすることなく手に紫外光を当てることができる。
【００９４】
〔ソフトウェアによる実現例〕
樹脂硬化装置１の制御ブロック（特に制御部１２）は、集積回路（ＩＣチップ）等に形成された論理回路（ハードウェア）によって実現してもよいし、ＣＰＵ（Central Processing Unit）を用いてソフトウェアによって実現してもよい。
【００９５】
後者の場合、樹脂硬化装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９６】
〔まとめ〕
本発明の態様１に係る樹脂硬化装置（１、１ａ、１ｂ、１ｃ、１ｄ）は、ユーザの手が挿入可能な開口部（３０）と、上記開口部を有する器体（３２）の内部に形成される光照射室（３１）と、上記光照射室内に挿入されたユーザの爪に塗布された樹脂を硬化する第１紫外光を照射する第１光源（第１のＵＶ光源１３）と、ビタミンＤの生成を促進する第２紫外光を上記ユーザの手に照射する第２光源（第２のＵＶ光源１４）と、を備えている。
【００９７】
上記の構成によれば、ユーザは、爪に塗布された樹脂を硬化させつつ、ユーザ自身の体内でビタミンＤの生成を促進することが可能となる。紫外光による人体への影響を懸念するユーザであっても、樹脂を硬化する紫外光に対するユーザの心理的ハードルは低い。それゆえ、ビタミンＤの生成を促進する紫外光を照射する構成を装置に導入することは容易となる。
【００９８】
本発明の態様２に係る樹脂硬化装置は、上記態様１において、上記第２光源は、上記ユーザの手のひらに照射してもよい。
【００９９】
上記の構成によれば、第２光源からの紫外光はユーザの手のひらに照射される。通常、手のひらのメラニン量は、手の甲のメラニン量よりも少ない。本来、ビタミンＤの生成を促進する程度の紫外光の照射量をメラニン量の多い部位に照射する場合、紫外光の照射量が多くなるため、ユーザの皮膚において新たなメラニンを生成させてしまう恐れがある。このため、メラニン量の少ない部位に紫外光を照射することは、少ない照射量の紫外光でビタミンＤの生成を促進することが可能となる。それゆえ、紫外光の過剰照射による日焼けを防止するとともに、ユーザの体内でビタミンＤの生成を効率的に促進することが可能となる。
【０１００】
本発明の態様３に係る樹脂硬化装置は、上記態様１または２において、上記第２紫外光は、長波長の紫外光であってもよい。
【０１０１】
上記の構成によれば、ビタミンＤの生成を促進する紫外光のうち長波長の紫外光（例えば、波長が３００ｎｍ〜３１５ｎｍ範囲内の光）が、ユーザの手に照射される。このため、紫外光によるユーザへの悪影響を低減しつつ、ビタミンＤの生成を促進することが可能となる。
【０１０２】
本発明の態様４に係る樹脂硬化装置は、上記態様１から３のいずれか１態様において、上記光照射室内に、上記ユーザの手が挿入されているか否かを検知する検知部（挿入判定部２２）と、上記検知部が上記ユーザの手が挿入されていないことを検知した場合に、上記第２光源の照射を停止する第２光源照射停止部（第２のＵＶ光源照射停止部２３）と、を備えていてもよい。
【０１０３】
上記の構成によれば、ユーザの手が光照射室内に挿入されていない場合に、第２光源の照射が停止される。このため、ユーザが樹脂硬化装置を使用していない場合に、ユーザが誤って紫外光を直視することを防止できる。
【０１０４】
本発明の態様５に係る樹脂硬化装置は、上記態様４において、上記検知部は、距離センサ（第１センサ１５）または赤外線センサ（第１センサ１５）を用いて上記ユーザの手が挿入されているか否かを検知してもよい。
【０１０５】
上記構成によれば、検知部が距離センサの場合には、ユーザの手が光照射室内に挿入されているか否かを、光照射室の内壁面とユーザの手との距離を用いて検知することが可能となる。また、検知部が赤外線センサの場合には、ユーザの手が光照射室内に挿入されているか否かを、光照射室内に挿入されたユーザの手の温度を用いて検知することが可能となる。
【０１０６】
本発明の態様６に係る樹脂硬化装置は、上記態様１から５のいずれか１態様において、上記第２光源が照射している状態にあることを上記ユーザに示す出力インジケータ（１７）をさらに備え、上記出力インジケータは、上記第２光源と直列に接続されていてもよい。
【０１０７】
上記構成によれば、出力インジケータは第２光源と直列に接続される。このため、出力インジケータおよび第２光源のうちいずれか一方が何らかの原因により故障した場合、いずれも点灯することがない。例えば、出力インジケータが何らかの原因により点灯不可能となった場合、第２光源からＵＶＢは照射されない。このため、ユーザは、出力インジケータを視認することにより、第２光源が点灯中であることを確認することが可能となる。それゆえ、ユーザが誤って第２光源のＵＶＢを直接目視することを防止することが可能となる。
【０１０８】
本発明の態様７に係る樹脂硬化装置は、上記態様６において、上記出力インジケータは、上記光照射室内に設置されており、可視光を放射してもよい。
【０１０９】
上記構成によれば、出力インジケータの可視光は、光照射室内に挿入されたユーザの手に照射される。このため、可視光がユーザの手から反射する。それゆえ、ユーザは、自身の手に反射している可視光を視認することにより、視認不可能な紫外光の照射を実感して確認することが可能となる。
【０１１０】
本発明の態様８に係る樹脂硬化装置は、上記態様１から７のいずれか一態様において、上記光照射室内に挿入されている上記ユーザのスキンタイプを判定するスキンタイプ判定部（２４）と、上記スキンタイプ判定部により判定された上記ユーザのスキンタイプ別に、上記第２光源の紫外光の照射量を決定する照射量決定部（２５）と、を備えていてもよい。
【０１１１】
上記構成によれば、ユーザのスキンタイプ別に第２光源の紫外光の照射量が決定される。このため、ユーザのスキンタイプ別の許容量の範囲内で、第２光源から紫外光をユーザに照射することが可能となる。例えば、紫外光に反応しやすいスキンタイプのユーザであれば、弱いパワーで紫外光をユーザに照射し、一日に必要な量のビタミンＤを生成することが可能となる。
【０１１２】
本発明の態様９に係る樹脂硬化装置は、上記態様１から８のいずれか一態様において、  上記第２光源が照射する上限時間を設定する時間設定部（２７）と、上記第２光源の照射時間が上記上限時間以上となる場合に、上記第２光源の照射を停止する第２光源照射停止部（２３）と、をさらに備えていてもよい。
【０１１３】
上記構成によれば、第２光源の照射時間が、ユーザのスキンタイプから決定された上限時間を超える場合に、第２光源の照射が停止される。このため、ユーザのスキンタイプ別の許容量以上の紫外光がユーザに照射されることはない。それゆえ、ユーザは、日焼けなどの心配をすることなく手に紫外光を当てることができる。
【０１１４】
本発明の各態様に係る樹脂硬化装置は、コンピュータによって実現してもよく、この場合には、コンピュータを上記樹脂硬化装置が備える各部（ソフトウェア要素）として動作させることにより上記樹脂硬化装置をコンピュータにて実現させる樹脂硬化装置の制御プログラム、およびそれを記録したコンピュータ読み取り可能な記録媒体も、本発明の範疇に入る。
【０１１５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１１６】
なお、本発明は、以下のようにも表現できる。
【０１１７】
すなわち、本発明の一態様に係るジェルネイル硬化用ＵＶ照射器は、手の挿脱が可能な開口部と、前記開口部と連通し、器体の内部に形成された光照射室と、前記光照射室の上方に形成され、ジェルネイルを硬化させるため手の爪に照射される第１のＵＶ光源と、前記光照射室の下方に形成され、ビタミンＤ形成のため手のひらに照射される第２のＵＶ光源とを備えている。
【０１１８】
また、本発明の一態様に係るジェルネイル硬化用ＵＶ照射器において、前記第１のＵＶ光源は３６５ｎｍ〜４０５ｎｍの波長の光を照射し、前記第２のＵＶ光源は３００ｎｍ〜３１５ｎｍの波長の光を照射する。
【０１１９】
また、本発明の一態様に係るジェルネイル硬化用ＵＶ照射器において、さらに、前記光照射室内に、手が挿入されたか否かを検知するセンサと、前記センサが手が挿入されていない事を検知したとき、前記第２のＵＶ光源を消灯制御する制御手段とを備える。
【０１２０】
また、本発明の一態様に係るジェルネイル硬化用ＵＶ照射器において、前記センサは測距センサあるいは赤外線センサである。
【０１２１】
また、本発明の一態様に係るジェルネイル硬化用ＵＶ照射器において、さらに、前記第２のＵＶ光源が点灯中であることを視認可能にするための出力インジケータを備え、前記出力インジケータと前記第２のＵＶ光源とを直列に接続する。
【０１２２】
また、本発明の一態様に係るジェルネイル硬化用ＵＶ照射器において、前記出力インジケータは可視光光源である。
【産業上の利用可能性】
【０１２３】
本発明は、指の爪に塗布された樹脂に光を照射して硬化させる樹脂硬化装置に利用することができる。
【符号の説明】
【０１２４】
１、１ａ、１ｂ、１ｃ、１ｄ  樹脂硬化装置
１１  入力受付部
１２  制御部
１３  第１のＵＶ光源（第１光源）
１４  第２のＵＶ光源（第２光源）
１５  第１センサ（距離センサ、赤外線センサ）
１６  第２センサ
１７  出力インジケータ
２１  出力量設定部
２１  照射制御部
２２  挿入判定部（検知部）
２３  第２のＵＶ光源照射停止部（第２光源照射停止部）
２４  スキンタイプ判定部
２５  照射線決定部
２６  出力量設定部
２７  時間設定部
３０  開口部、  ３１  光照射室、３２  器体
４０  ＬＥＤ基板、  ４１  ＬＥＤ、  ４２  カットフィルタ、  ４３  石英ガラス
４４  ＬＥＤ配線、  ４５  カソード側コネクタ、  ４６  アノード側コネクタ
５０  ＬＥＤ取付板
Ａ、Ｂ  ベース
ａ、ｂ  スイッチ
【図１】
0006373769.tif 000002
【図２】
0006373769.tif 000003
【図３】
0006373769.tif 000004
【図４】
0006373769.tif 000005
【図５】
0006373769.tif 000006
【図６】
0006373769.tif 000007
【図７】
0006373769.tif 000008
【図８】
0006373769.tif 000009
【図９】
0006373769.tif 000010
【図１０】
0006373769.tif 000011
【図１１】
0006373769.tif 000012
【図１２】
0006373769.tif 000013
【図１３】
0006373769.tif 000014
【図１４】
0006373769.tif 000015